(57)【要約】【課題】  建築物の開口部を容易に塞ぐことができる閉塞部材およびこの閉塞部材により開口部が閉塞された壁または天井を有する建築物を提供すること。【解決手段】  基材１１とボード材１２とを貼り合わせた閉塞部材１０であって、基材１１は、ボード材１２と貼り合わせられる面の少なくとも一部がボード材１２から突出し、基材１１とボード材１２とを貫通する孔部１３を少なくとも２つ有する。また、ボード材１２は、閉塞する箇所に対応した形状であることを特徴とする。さらに、閉塞部材１０は、孔部１３に線状部材１４を通して構成される把持部を有する。【選択図】  図１
0003227110.tif 000002
【実用新案登録請求の範囲】
【請求項１】
第１の部材と第２の部材とを貼り合わせた閉塞部材であって、
前記第１の部材は、前記第２の部材と貼り合わせられる面の少なくとも一部が前記第２の部材から突出し、
前記第１の部材と前記第２の部材とを貫通する孔部を少なくとも２つ有する、
閉塞部材。
【請求項２】
前記第２の部材は、閉塞する箇所に対応した形状であることを特徴とする、請求項１に記載の閉塞部材。
【請求項３】
前記孔部に線状部材を通して構成される把持部を有する、請求項１または２に記載の閉塞部材。
【請求項４】
請求項１〜３のいずれか一項に記載の閉塞部材により開口部が閉塞された壁または天井を有する建築物。
【考案の詳細な説明】
【技術分野】
【０００１】
本考案は、建築物のリフォームに使用する閉塞部材およびこの閉塞部材により開口部が閉塞された壁または天井を有する建築物に関する。
【背景技術】
【０００２】
既存の建築物の内装を変更するリフォームは、今日広く行われている。リフォームでは、コンセントや照明などといった既設の設備の位置を変更する作業を伴うことがある。このような場合、仕上がりの美観の観点から、既設の設備が配置されていた壁や天井などに開いている穴を塞ぐことが好ましい。
【０００３】
この点につき、建築物の壁面などの開口部を塞ぐ技術として、以下のものが知られている。例えば、特開２０１８−１７０８２号公報（特許文献１）には、壁面仕上パネルによって構成され、開口部に対して係止保持可能な係止部するカバー部材を備える壁面補修材が開示されている。特許文献１によれば、壁面に設けた開口部の補修を完了し得ることを目的とした壁面補修材が提供される。しかしながら、特許文献１の壁面補修材は、係止部などの複雑な構造を具備する構成であることから、製造に掛かるコストが大きくなる。
【０００４】
また、建築物の壁面などの開口部を塞ぐ別の技術の例として、開口部をパテなどで埋める方法などが知られている。しかしながら、かかる方法は、作業者の負担が大きく、その仕上がりは作業者の技量に依るところが大きい。したがって、一定の水準の品質を提供する観点からは、充分なものではなかった。
【０００５】
そのため、建築物のリフォームなどにおいて、簡易な構成で以て、開口部を塞ぐ技術が求められていた。
【考案の概要】
【考案が解決しようとする課題】
【０００６】
本考案は、上記従来技術における課題に鑑みてなされたものであり、建築物の開口部を容易に塞ぐことができる閉塞部材およびこの閉塞部材により開口部が閉塞された壁または天井を有する建築物を提供することを目的とする。
【課題を解決するための手段】
【０００７】
すなわち、本考案によれば、
第１の部材と第２の部材とを貼り合わせた閉塞部材であって、
前記第１の部材は、前記第２の部材と貼り合わせられる面の少なくとも一部が前記第２の部材から突出し、
前記第１の部材と前記第２の部材とを貫通する孔部を少なくとも２つ有する、
閉塞部材が提供される。
また、本考案によれば、上記に記載の閉塞部材により閉塞された壁または天井を有する建築物が提供できる。
【考案の効果】
【０００８】
本考案によれば、建築物の開口部を容易に塞ぐことができる閉塞部材およびこの閉塞部材により開口部が閉塞された壁または天井を有する建築物が提供できる。
【図面の簡単な説明】
【０００９】
【図１】本実施形態の閉塞部材の斜視図。
【図２】本実施形態の閉塞部材の構造を説明する図。
【図３】本実施形態における閉塞部材によって壁面の開口部を塞ぐ作業を例示する図。
【考案を実施するための形態】
【００１０】
以下、本考案を、実施形態をもって説明するが、本考案は後述する実施形態に限定されるものではない。なお、以下に参照する各図においては、共通する要素について同じ符号を用い、適宜その説明を省略するものとする。
【００１１】
図１は、本実施形態の閉塞部材１０の斜視図である。図１（ａ）に示すように本実施形態の閉塞部材１０は、基材１１と、ボード材１２とが貼り合わされて構成される。本実施形態の基材１１は、一例として板状の木材を採用することができるが、特に実施形態を限定するものではない。
【００１２】
本実施形態のボード材１２は、特に実施形態を限定するものではないが、例えば石膏ボードやベニヤ板などを採用することができる。またボード材１２は、閉塞する対象となる開口部のある面と同じ材料を用いることができる。ここで、本実施形態において閉塞する対象となる開口部は、リフォームを行う建築物の壁面や天井に設けられているものとする。以下の説明では、建築物の壁面に開けられた開口部を塞ぐ場合を例に説明するが、実施形態を限定するものではない。壁面や天井などをリフォームする場合には、コンセントや照明などの既存の設備を移設する場合があり、このような設備が配置されていた箇所の穴を塞ぐ必要がある。ところで、壁面や天井面などに設けられるコンセントや照明用ソケットなどを取り付ける金具の形状は規格によって定められていることが一般的であることから、開口部の形状もいくつかの種類に分類することが可能である。そのため、本実施形態のボード材１２は、あらかじめ、閉塞する対象となる箇所に応じた形状に加工しておくことが好ましい。例えばリフォームにおいて壁面のコンセントの場所を移設する場合には、当該コンセントを取り付ける金具に対応した壁貫通孔の規格に応じた形状にボード材１２を加工して、閉塞部材１０を構成してもよい。
【００１３】
また、本実施形態の閉塞部材１０は、図１（ａ）の破線で示す領域のような少なくとも２つの孔部１３を具備する。孔部１３は、本実施形態の把持部を構成する。図１（ｂ）に示すように、孔部１３に線状部材１４を通すことによって、閉塞部材１０を把持するための把持部とすることができる。線状部材１４は、特に限定されないが、例えば、曲げ性を有しつつ一定の強度を持つ材料でることが好ましい。線状部材１４の例として、いわゆるビニールタイ、針金、樹脂または繊維の紐などが挙げられる。このように、把持部が孔部１３および線状部材１４によって構成されることで、閉塞部材１０の製造時や閉塞作業時における把持部の取り付けおよび取り外しを容易に行うことができる。
【００１４】
図２は、本実施形態の閉塞部材１０の構造を説明する図であり、図２（ａ）は閉塞部材１０の上面図を、図２（ｂ）は閉塞部材１０の側面図を、図２（ｃ）は閉塞部材１０の底面図を、それぞれ示している。
【００１５】
図２に示すように、本実施形態の基材１１は、ボード材１２と貼り合わせられる面の一部が当該ボード材１２から突出した形状をしている。以下、閉塞部材１０の基材１１において、ボード材１２から突出した部分を「突出部」として参照する。壁や天井などの開口部を閉塞する作業において、突出部と壁材とをネジなどで結合することで、閉塞部材１０を取り付け面に固定することができる。
【００１６】
また、図２に示すように、本実施形態の閉塞部材１０の２つの孔部１３は、基材１１およびボード材１２を貫通するように構成される。線状部材１４を２つの孔部１３を通して環状とすることで、取り付けおよび取り外しが容易な把持部を構成することができる。
【００１７】
図３は、本実施形態における閉塞部材１０によって壁面の開口部を塞ぐ作業を例示する図である。本実施形態において開口部を塞ぐ作業は、図３（ａ）〜（ｄ）の順序で行われる。以下に、開口部を塞ぐ作業の詳細を説明する。
【００１８】
図３に示す本実施形態の開口部を塞ぐ作業では、壁２０に開いている開口部（以下、閉塞対象箇所２１として参照する）を閉塞部材１０を用いて塞ぐものとする。なお、図３の各図において、壁２０の右側が室内空間であり、壁２０の左側（濃い色で示す領域）が壁面内部の空間である。
【００１９】
図３（ａ）に示すように、作業者はまず、閉塞部材１０の把持部を把持して、閉塞対象箇所２１から閉塞部材１０を壁面内部の空間に挿入する。
【００２０】
次に、図３（ｂ）に示すように、閉塞部材１０のボード材１２を閉塞対象箇所２１にはめ込む。閉塞部材１０のボード材１２の形状を、閉塞対象箇所２１に対応した形状としておくことで、適切に開口部を塞ぐことができる。
【００２１】
その後、図３（ｃ）に示すように、作業者は把持部を把持しながら、タッピングネジ３０を閉塞部材１０の基材１１の突出部に刺さるように挿入することで、閉塞部材１０と壁２０とを固定する。タッピングネジ３０を挿入する前に、あらかじめ下穴を開けておいてもよい。タッピングネジ３０は、固定後の壁面を平たんにするために皿頭形状のものを用いることが好ましい。なお、閉塞部材１０と壁２０との固定は、タッピングネジ３０で行うものに限定されず、任意の方法で行うことができる。
【００２２】
最後に、把持部を構成する線状部材１４を閉塞部材１０から取り外すことで、図３（ｄ）に示すように、壁２０の開口部を塞ぐ作業が完了する。開口部を塞いだ後の壁面は、その後、クロス貼りなどの種々のリフォーム作業が行われる。
【００２３】
以上、説明した本考案の実施形態によれば、建築物の開口部を容易に塞ぐことができる閉塞部材およびこの閉塞部材により開口部が閉塞された壁または天井を有する建築物を提供することができる。
【００２４】
以上、本考案について実施形態をもって説明してきたが、本考案は上述した実施形態に限定されるものではなく、当業者が推考しうる実施態様の範囲内において、本考案の作用・効果を奏する限り、本考案の範囲に含まれるものである。
【符号の説明】
【００２５】
１０…閉塞部材、
１１…基材、
１２…ボード材、
１３…孔部、
１４…線状部材、
２０…壁、
２１…閉塞対象箇所、
３０…タッピングネジ
【先行技術文献】
【特許文献】
【００２６】
【特許文献１】特開２０１８−１７０８２号公報
【図１】
0003227110.tif 000003
【図２】
0003227110.tif 000004
【図３】
0003227110.tif 000005